【手続補正書】
【提出日】平成23年9月8日(2011.9.8)
【手続補正１】
【補正対象書類名】特許請求の範囲
【補正対象項目名】全文
【補正方法】変更
【補正の内容】
【特許請求の範囲】
【請求項１】
複数のアプリケーションを実行することが可能な画像処理装置であって、
前記複数のアプリケーションを実行するためのデータを記憶するためのメモリと、
前記画像処理装置に対してログインしているユーザが用いた前記画像処理装置へのログイン方法を示す情報を記憶する第１記憶手段と、
前記複数のアプリケーションの各々について、どのようなログイン方法でログインすることによってアプリケーションの実行開始を指示することが可能であるかを示す情報を対応づけて記憶する第２記憶手段と、
現在実行中の複数のアプリケーションのうち、停止可能なアプリケーションを前記第１記憶手段と前記第２記憶手段に記憶されている情報に基づいて特定する特定手段と、
前記複数のアプリケーションの１つに対して実行開始の指示を受け付けたことに基づいて、当該アプリケーションを実行するためのデータを前記メモリ内に確保するために、前記特定手段により特定されたアプリケーションを停止する停止手段と、
前記実行開始を指示されたアプリケーションを起動する起動手段と、
を有することを特徴とする画像処理装置。
【請求項２】
前記特定手段は、前記第１記憶手段に記憶される情報が、前記画像処理装置に対してログインしているユーザが、遠隔からログインを行ったことを示すものではない場合、前記第２記憶手段に記憶される、前記画像処理装置に遠隔からログインすることによって実行開始を指示することが可能なアプリケーションを前記停止可能なアプリケーションとして特定することを特徴とする、請求項１に記載の画像処理装置。
【請求項３】
前記特定手段は、前記第１記憶手段に記憶される情報が、前記画像処理装置に対してログインしているユーザが、前記画像処理装置が有する操作部を用いてログインしたことを示すものでない場合、前記第２記憶手段に記憶される、前記画像処理装置に前記操作部を用いてログインすることによって実行開始を指示することが可能なアプリケーションを前記停止可能なアプリケーションとして特定することを特徴とする、請求項１に記載の画像処理装置。
【請求項４】
前記特定手段は、前記第１記憶手段に記憶される情報が、前記画像処理装置に対してユーザがログインしていないことを示す場合、前記第２記憶手段に記憶される、前記画像処理装置が有する操作部を用いることによって実行開始を指示することが可能なアプリケーション、及び遠隔からログインすることによって実行開始を指示することが可能なアプリケーションを前記停止可能なアプリケーションとして特定することを特徴とする、請求項１に記載の画像処理装置。
【請求項５】
複数のアプリケーションを実行することが可能であり、前記複数のアプリケーションを実行するためのデータを記憶するためのメモリと、前記画像処理装置に対してログインしているユーザが用いた前記画像処理装置へのログイン方法を示す情報を記憶する第１記憶手段と、前記複数のアプリケーションの各々について、どのようなログイン方法でログインすることによってアプリケーションの実行開始を指示することが可能であるかを示す情報を対応づけて記憶する第２記憶手段と、を有する画像処理装置におけるアプリケーション起動管理方法であって、
前記複数のアプリケーションの１つに対して実行開始の指示を受け付ける受付工程と、
現在実行中の複数のアプリケーションのうち、停止可能なアプリケーションを前記第１記憶手段と前記第２記憶手段に記憶されている情報に基づいて特定する特定工程と、
前記受付工程において実行開始の指示を受け付けたアプリケーションを実行するためのデータを前記メモリ内に確保するために、前記特定工程において特定されたアプリケーションを停止する停止工程と、
前記実行開始の指示を受け付けたアプリケーションを起動する起動工程と、
を備えることを特徴とするアプリケーション起動管理方法。
【請求項６】
複数のアプリケーションを実行することが可能であり、前記複数のアプリケーションを実行するためのデータを記憶するためのメモリと、前記画像処理装置に対してログインしているユーザが用いた前記画像処理装置へのログイン方法を示す情報を記憶する第１記憶手段と、前記複数のアプリケーションの各々について、どのようなログイン方法でログインすることによってアプリケーションの実行開始を指示することが可能であるかを示す情報を対応づけて記憶する第２記憶手段と、を有する画像処理装置にアプリケーション起動管理方法を実行させるためのプログラムであって、前記アプリケーション起動管理方法は、
前記複数のアプリケーションの１つに対して実行開始の指示を受け付ける受付工程と、
現在実行中の複数のアプリケーションのうち、停止可能なアプリケーションを前記第１記憶手段と前記第２記憶手段に記憶されている情報に基づいて特定する特定工程と、
前記受付工程において実行開始の指示を受け付けたアプリケーションを実行するためのデータを前記メモリ内に確保するために、前記特定工程において特定されたアプリケーションを停止する停止工程と、
前記実行開始の指示を受け付けたアプリケーションを起動する起動工程と、
を備えることを特徴とするプログラム。
【手続補正２】
【補正対象書類名】明細書
【補正対象項目名】００１３
【補正方法】変更
【補正の内容】
【００１３】
上記目的を達成するために、本発明の画像処理装置は、複数のアプリケーションを実行することが可能な画像処理装置であって、前記複数のアプリケーションを実行するためのデータを記憶するためのメモリと、前記画像処理装置に対してログインしているユーザが用いた前記画像処理装置へのログイン方法を示す情報を記憶する第１記憶手段と、前記複数のアプリケーションの各々について、どのようなログイン方法でログインすることによってアプリケーションの実行開始を指示することが可能であるかを示す情報を対応づけて記憶する第２記憶手段と、現在実行中の複数のアプリケーションのうち、停止可能なアプリケーションを前記第１記憶手段と前記第２記憶手段に記憶されている情報に基づいて特定する特定手段と、前記複数のアプリケーションの１つに対して実行開始の指示を受け付けたことに基づいて、当該アプリケーションを実行するためのデータを前記メモリ内に確保するために、前記特定手段により特定されたアプリケーションを停止する停止手段と、前記実行開始を指示されたアプリケーションを起動する起動手段と、を有することを特徴とする。
【手続補正３】
【補正対象書類名】明細書
【補正対象項目名】００１４
【補正方法】変更
【補正の内容】
【００１４】
また、本発明の画像処理装置におけるアプリケーション起動管理方法は、複数のアプリケーションを実行することが可能であり、前記複数のアプリケーションを実行するためのデータを記憶するためのメモリと、前記画像処理装置に対してログインしているユーザが用いた前記画像処理装置へのログイン方法を示す情報を記憶する第１記憶手段と、前記複数のアプリケーションの各々について、どのようなログイン方法でログインすることによってアプリケーションの実行開始を指示することが可能であるかを示す情報を対応づけて記憶する第２記憶手段と、を有する画像処理装置におけるアプリケーション起動管理方法であって、前記複数のアプリケーションの１つに対して実行開始の指示を受け付ける受付工程と、現在実行中の複数のアプリケーションのうち、停止可能なアプリケーションを前記第１記憶手段と前記第２記憶手段に記憶されている情報に基づいて特定する特定工程と、前記受付工程において実行開始の指示を受け付けたアプリケーションを実行するためのデータを前記メモリ内に確保するために、前記特定工程において特定されたアプリケーションを停止する停止工程と、前記実行開始の指示を受け付けたアプリケーションを起動する起動工程と、を備えることを特徴とする。